【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
少なくとも、前面、背面、ヒール、トウ、ソール部分、上部、及び、ボール打撃面を有し、ゴルフクラブヘッドの内部空洞を画成するクラブヘッド本体と、
前記クラブヘッド本体の前記ソールに形成された凹部と、
可調整ウェイトと、
を備え、
前記可調整ウェイトが、前記ゴルフクラブの前記ソールに形成された前記凹部に収容されて、前記可調整ウェイトをそのまわりで回転させるヒンジによって前記ゴルフクラブヘッドに移動可能に結合されるとともに、前記可調整ウェイトが、前記クラブヘッド本体の前面に近接した第１の位置から前記クラブヘッド本体の背面に近接した第２の位置へ移動可能であることを特徴とする、ゴルフクラブヘッド。
【請求項２】
前記移動可能な結合が回転可能な結合であることを特徴とする、請求項１に記載のゴルフクラブヘッド。
【請求項３】
前記回転可能な結合によって、前記クラブヘッド本体の前記ボール打撃面にほぼ垂直な平面内における前記可調整ウェイトの回転が可能になることを特徴とする、請求項２に記載のゴルフクラブヘッド。
【請求項４】
前記可調整ウェイトが、使用中位置において前記凹部の一部に収容されることを特徴とする、請求項１に記載のゴルフクラブヘッド。
【請求項５】
前記凹部の別の部分は空であることを特徴とする、請求項４に記載のゴルフクラブヘッド。
【請求項６】
クラブヘッド本体のソールに凹部が形成されており、第１の端部と第２の端部を備えるクラブヘッド本体と、
前記クラブヘッド本体に形成された前記凹部の少なくとも一部に収容されるように形成された可調整ウェイトと、
を備え、
前記可調整ウェイトが、前記クラブヘッド本体の第１の端部に近接した第１の位置から前記クラブヘッド本体の第２の端部に近接した第２の位置へ、前記可調整ウェイトをそのまわりで回転させるヒンジによって回転可能であることを特徴とする、
ゴルフクラブヘッド。
【請求項７】
前記第１の位置に、前記凹部の第１の部分内に収容された前記可調整ウェイトが含まれていて、前記凹部の第２の部分は空であることを特徴とする、請求項６に記載のゴルフクラブヘッド。
【請求項８】
前記第２の位置に、前記凹部の第２の部分内に収容された前記可調整ウェイトが含まれていて、前記凹部の第１の部分は空であることを特徴とする、請求項７に記載のゴルフクラブヘッド。
【請求項９】
前記クラブヘッド本体の前記第１の端部が、前記ゴルフクラブヘッドの前面端であり、前記クラブヘッド本体の前記第２の端部が、前記ゴルフクラブヘッドの背面端であることを特徴とする、請求項６に記載のゴルフクラブヘッド。
【請求項１０】
前記可調整ウェイトが前記ゴルフクラブヘッドの打撃面にほぼ垂直な平面内で回転可能であることを特徴とする、請求項６に記載のゴルフクラブヘッド。
【請求項１１】
前記可調整ウェイトが、前記第１の位置、前記第２の位置、及び、任意の中間位置で前記クラブヘッド本体に結合されることを特徴とする、請求項６に記載のゴルフクラブヘッド。
【手続補正２】
【補正対象書類名】明細書
【補正対象項目名】０００５
【補正方法】変更
【補正の内容】
【０００５】
本発明の態様は、ボールが飛ぶ軌道を変えるためにエンドユーザーが調整できる可動式及び／または可調整のウェイトを備えるゴルフクラブ及びゴルフクラブヘッドの構造に関する。構成によっては、クラブヘッドに、ボールが飛ぶ軌道を変えるため、第１の位置から第２の位置へ、及び、その逆に移動させることが可能な１つ以上の可調整ウェイトが含まれる場合もある。構成によっては、第１の位置がゴルフクラブヘッドの前面部分に近接する場合もあり、一方、構成によっては、第２の位置がゴルフクラブヘッドの背面部分に近接する場合もある。いくつかの例では、可動式及び／または可調整のウェイト、並びに、可調整のウェイトに関連したどのハードウェア、締結具等も、第１の位置、第２の位置、及び、その任意の中間位置でクラブヘッドに結合されたままにしてもよい。すなわち、構成によっては、ウェイト及び関連ハードウェアは、ゴルフクラブヘッドからの取外しが可能というわけではなく、調整が可能になる。
[本発明1001]
少なくとも、前面、背面、ヒール、トウ、ソール部分、上部、及び、ボール打撃面を有し、ゴルフクラブヘッドの内部空洞を画成するクラブヘッド本体と、
前記クラブヘッド本体の前記ソールに形成された凹部と、
可調整ウェイトと、
を備え、
前記可調整ウェイトが、前記ゴルフクラブの前記ソールに形成された前記凹部に収容されて、前記ゴルフクラブヘッドに移動可能に結合されるとともに、前記可調整ウェイトが、前記クラブヘッド本体の前面に近接した第1の位置から前記クラブヘッド本体の背面に近接した第2の位置へ移動可能であることを特徴とする、ゴルフクラブヘッド。
[本発明1002]
前記移動可能な結合が回転可能な結合であることを特徴とする、本発明1001のゴルフクラブヘッド。
[本発明1003]
前記回転可能な結合によって、前記クラブヘッド本体の前記ボール打撃面にほぼ垂直な平面内における前記可調整ウェイトの回転が可能になることを特徴とする、本発明1002のゴルフクラブヘッド。
[本発明1004]
前記可調整ウェイトが、使用中位置において前記凹部の一部に収容されることを特徴とする、本発明1001のゴルフクラブヘッド。
[本発明1005]
前記凹部の別の部分は空であることを特徴とする、本発明1004のゴルフクラブヘッド。
[本発明1006]
前記可調整ウェイトが、前記第1の位置、前記第2の位置、及び、任意の中間位置において前記クラブヘッド本体に結合されることを特徴とする、本発明1001のゴルフクラブヘッド。
[本発明1007]
凹部が形成されており、第1の端部と第2の端部を備えるクラブヘッド本体と、
前記クラブヘッド本体に形成された前記凹部の少なくとも一部に収容されるように形成された可調整ウェイトと、
を備え、
前記可調整ウェイトが、前記クラブヘッド本体の第1の端部に近接した第1の位置から前記クラブヘッド本体の第2の端部に近接した第2の位置へ回転可能であることを特徴とする、
ゴルフクラブヘッド。
[本発明1008]
さらに、前記可調整ウェイトをそのまわりで回転させるヒンジが含まれることを特徴とする、本発明1007のゴルフクラブヘッド。
[本発明1009]
前記凹部が前記クラブヘッド本体のソールに形成されることを特徴とする、本発明1007のゴルフクラブヘッド。
[本発明1010]
前記第1の位置に、前記凹部の第1の部分内に収容された前記可調整ウェイトが含まれていて、前記凹部の第2の部分は空であることを特徴とする、本発明1007のゴルフクラブヘッド。
[本発明1011]
前記第2の位置に、前記凹部の第2の部分内に収容された前記可調整ウェイトが含まれていて、前記凹部の第1の部分は空であることを特徴とする、本発明1010のゴルフクラブヘッド。
[本発明1012]
前記クラブヘッド本体の前記第1の端部が、前記ゴルフクラブヘッドの前面端であり、前記クラブヘッド本体の前記第2の端部が、前記ゴルフクラブヘッドの背面端であることを特徴とする、本発明1007のゴルフクラブヘッド。
[本発明1013]
前記可調整ウェイトが前記ゴルフクラブヘッドの打撃面にほぼ垂直な平面内で回転可能であることを特徴とする、本発明1007のゴルフクラブヘッド。
[本発明1014]
前記可調整ウェイトが、前記第1の位置、前記第2の位置、及び、任意の中間位置で前記クラブヘッド本体に結合されることを特徴とする、本発明1007のゴルフクラブヘッド。
[本発明1015]
少なくとも、前面、背面、ヒール、トウ、ソール部分、上部、及び、ボール打撃面を具備し、ゴルフクラブヘッドの内部空洞を画成するクラブヘッド本体と、
前記クラブヘッド本体の前記ソールに形成された凹部と、
前記凹部に収容されて、回転軸まわりを回転できるように構成された可調整ウェイトと、を備え、
前記可調整ウェイトが、第1のウェイトを備える第1の端部と、第2のウェイトを備える第2の端部を具備するとともに、前記第1のウェイトが前記第2のウェイトと異なることを特徴とする、
ゴルフクラブヘッド。
[本発明1016]
前記第1のウェイトが前記第2のウェイトより大きいことを特徴とする、本発明1015のゴルフクラブヘッド。
[本発明1017]
前記回転軸が前記凹部の中心領域に位置することを特徴とする、本発明1015のゴルフクラブヘッド。
[本発明1018]
前記回転軸に締結具が含まれることを特徴とする、本発明1015のゴルフクラブヘッド。
[本発明1019]
前記締結具が前記クラブヘッド本体の前記内部空洞方向に付勢されて、前記可調整ウェイトを前記クラブヘッド本体の前記内部空洞のほうへ引き寄せることを特徴とする、本発明1018のゴルフクラブヘッド。
[本発明1020]
前記可調整ウェイトが、前記クラブヘッド本体のボール打撃面にほぼ垂直な平面内を回転可能であることを特徴とする、本発明1015のゴルフクラブヘッド。
[本発明1021]
前記第1の端部が第1の材料で形成され、前記第2の端部が前記第1の材料とは異なる第2の材料で形成されることを特徴とする、本発明1015のゴルフクラブヘッド。
[本発明1022]
前記可調整ウェイトが第1の材料で形成される、前記第1の端部及び前記第2の端部の一方に、前記第1の材料とは異なる第2の材料で形成された埋め込みウェイトが含まれることを特徴とする、本発明1015のゴルフクラブヘッド。
[本発明1023]
前記第1の材料がアルミニウムであり、前記第2の材料がタングステンであることを特徴とする、本発明1022のゴルフクラブヘッド。
[本発明1024]
凹部が形成されており、前面と背面を備えるクラブヘッド本体と、
前記クラブヘッド本体の前記凹部に収容されるように形成された可調整ウェイトと、を備えるゴルフクラブヘッドであって、
前記可調整ウェイトは、前記可調整ウェイトの第1の端部が前記クラブヘッド本体の前記前面に近接して位置するとともに前記可調整ウェイトの第2の端部が前記クラブヘッド本体の前記背面に近接して位置する第1の位置から、前記可調整ウェイトの前記第1の端部が前記背面に近接して位置するとともに前記可調整ウェイトの前記第2の端部が前記前面に近接して位置する第2の位置まで調整可能であり、さらに、
前記可調整ウェイトの前記第1の端部に第1の端部ウェイトが含まれ、前記可調整ウェイトの前記第2の端部に第2の端部ウェイトが含まれ、前記第2の端部ウェイトが前記第2の端部ウェイトと異なることを特徴とする、
ゴルフクラブヘッド。
[本発明1025]
前記可調整ウェイトの前記第1の位置から前記第2の位置までの調整に、回転軸まわりにおける前記可調整ウェイトの回転が含まれることを特徴とする、本発明1024のゴルフクラブヘッド。
[本発明1026]
前記回転軸に締結具が含まれることを特徴とする、本発明1025のゴルフクラブヘッド。
[本発明1027]
前記可調整ウェイトの回転に、前記ゴルフクラブヘッドの打撃面にほぼ垂直な平面内における前記可調整ウェイトの回転が含まれることを特徴とする、本発明1025のゴルフクラブヘッド。
[本発明1028]
前記第2の端部ウェイトが前記第1の端部ウェイトより重いことを特徴とする、本発明1024のゴルフクラブヘッド。
[本発明1029]
前記第1の端部が第1の材料で形成され、前記第2の端部が第1の材料とは異なる第2の材料で形成されることを特徴とする、本発明1024のゴルフクラブヘッド。
[本発明1030]
前記可調整ウェイトが第1の材料で形成され、前記第1の端部及び前記第2の端部の一方に、前記第1の材料とは異なる第2の材料で形成された埋め込みウェイトが含まれることを特徴とする、本発明1024のゴルフクラブヘッド。
[本発明1031]
前記第1の材料がアルミニウムであり、前記第2の材料がタングステンであることを特徴とする、本発明1030のゴルフクラブヘッド。
[本発明1032]
前記可調整ウェイトの調整に、前記可調整ウェイトの除去が含まれないことを特徴とする、本発明1024のゴルフクラブヘッド。
[本発明1033]
少なくともヒール、トウ、ソール、上部、及び、ボール打撃面を具備し、前記ソールに凹部が形成されているクラブヘッド本体と、
前記クラブヘッド本体に取り付けられたウェイトと、
を備えるゴルフクラブヘッドであって、
前記ウェイトが前記凹部内の第1の位置から前記凹部内の第2の位置まで移動可能であり、前記第2の位置が前記第1の位置から遠く離れていることを特徴とする、
ゴルフクラブヘッド。